(57)【特許請求の範囲】
【請求項１】
体毛の切断処理または体毛の脱毛処理を行う体毛処理部を具備する体毛処理装置本体と、この体毛処理装置本体の外面に着脱もしくは開閉自在に配されているカバーと、体毛処理用の処理剤が充填されている処理剤容器と、該処理剤容器を加圧して処理剤を体毛処理装置本体の体毛処理部の近傍において吐出させる加圧手段とを備えており、加圧手段は体毛処理装置側に設けられてカバーと加圧手段との間に処理剤容器が位置しており、上記加圧手段は処理剤容器に接して処理剤容器を押圧付勢する押さえ板を備えているとともに該押さえ板は処理剤容器よりも幅広で且つ位置決めが処理剤容器の外側でなされており、処理剤容器における加圧手段が接しない部分に接するとともに本体とカバーとの間の間隔を狭めている突起部を本体またはカバーが備えていることを特徴とする体毛処理装置。
【請求項２】
体毛の切断処理または体毛の脱毛処理を行う体毛処理部を具備する体毛処理装置本体と、この体毛処理装置本体の外面に着脱もしくは開閉自在に配されているカバーと、体毛処理用の処理剤が充填されている処理剤容器と、該処理剤容器を加圧して処理剤を体毛処理装置本体の体毛処理部の近傍において吐出させる加圧手段とを備えており、加圧手段はカバーの内面に設けられて体毛処理装置本体の外面と加圧手段との間に処理剤容器が位置しており、上記加圧手段は処理剤容器に接して処理剤容器を押圧付勢する押さえ板を備えているとともに該押さえ板は処理剤容器よりも幅広で且つ位置決めが処理剤容器の外側でなされており、処理剤容器における加圧手段が接しない部分に接するとともに本体とカバーとの間の間隔を狭めている突起部を本体またはカバーが備えていることを特徴とする体毛処理装置。
【請求項３】
加圧手段の押さえ板の処理剤容器の一面に接する面は、処理剤容器の他面が接する面と同一形状となっていることを特徴とする請求項１または２記載の体毛処理装置。
【請求項４】
加圧手段の押さえ板による処理剤容器の押圧力が処理剤容器の処理剤吐出部から遠い側が強くなっていることを特徴とする請求項１〜３のいずれか１項に記載の体毛処理装置。
【請求項５】
体毛処理装置本体のオンオフ用のスイッチをカバーに設けていることを特徴とする請求項１〜４のいずれか１項に記載の体毛処理装置。
【請求項６】
体毛処理部及び処理剤吐出部を覆う保護用のキャップを備えるとともに着脱自在な該キャップはカバーと干渉しない形状に形成されていることを特徴とする請求項１〜５のいずれか１項に記載の体毛処理装置。
【発明の詳細な説明】
【０００１】
【発明の属する技術分野】
本発明は体毛処理用の処理剤の吐出機能を備えている体毛処理装置に関するものである。
【０００２】
【従来の技術】
体毛の切断処理または体毛の脱毛処理を行う体毛処理装置に体毛処理用の処理剤（シェービング液等）を吐出する機能を設けたものがある。たとえば、特開昭５７−１５０９９２号公報や実開昭５９−１０８５７２号公報には、体毛処理用の処理剤が充填されている処理剤容器と、処理剤容器から処理剤を送り出すダイヤフラムポンプとを設けたものが示されている。
【０００３】
【発明が解決しようとする課題】
しかし、モータ駆動で作動するダイヤフラムポンプで処理剤を吐出するものでは、構造が複雑でコストが高くなる、モータの駆動音やダイヤフラムの作動音がする、負荷が大きくなるために電流消費が大きくて電池寿命が短くなる、大型になって使い勝手が悪い、各機構をスムーズに動かすために潤滑剤が必要となるといった問題点を有している。
【０００４】
本発明はこのような点に鑑みなされたものであって、その目的とするところは処理剤の吐出機能を低コストで付加することができる上に使い勝手が優れている体毛処理装置を提供するにある。
【０００５】
【課題を解決するための手段】
しかして本発明は、体毛の切断処理または体毛の脱毛処理を行う体毛処理部を具備する体毛処理装置本体と、この体毛処理装置本体の外面に着脱もしくは開閉自在に配されているカバーと、体毛処理用の処理剤が充填されている処理剤容器と、該処理剤容器を加圧して処理剤を体毛処理装置本体の体毛処理部の近傍において吐出させる加圧手段とを備えており、加圧手段は体毛処理装置側に設けられてカバーと加圧手段との間に処理剤容器が位置しており、上記加圧手段は処理剤容器に接して処理剤容器を押圧付勢する押さえ板を備えているとともに該押さえ板は処理剤容器よりも幅広で且つ位置決めが処理剤容器の外側でなされており、処理剤容器における加圧手段が接しない部分に接するとともに本体とカバーとの間の間隔を狭めている突起部を本体またはカバーが備えていることに第１の特徴を有しており、加圧手段はカバーの内面に設けられて体毛処理装置本体の外面と加圧手段との間に処理剤容器が位置しており、上記手段は処理剤容器に接して処理剤容器を押圧付勢する押さえ板を備えているとともに該押さえ板は処理剤容器よりも幅広で且つ位置決めが処理剤容器の外側でなされており、処理剤容器における加圧手段が接しない部分に接するとともに本体とカバーとの間の間隔を狭めている突起部を本体またはカバーが備えていることに第２の特徴を有している。加圧手段による処理剤容器の加圧で処理剤が押し出されるようにしたものであるとともに、この加圧は処理剤容器よりも幅広で且つ位置止めが処理剤容器の外側でなされている押さえ板による押圧付勢でなされるようにしたものであり、またカバーを外せばそこに処理剤容器の装着部が現れるようにしたものである。
【０００７】
また、押さえ板の処理剤容器の一面に接する面は、処理剤容器の他面が接する面と同一形状としておくことが好ましい。さらには、押さえ板による処理剤容器の押圧力が処理剤容器の処理剤吐出部から遠い側が強くなっていることが好ましい。
【０００９】
また、体毛処理装置本体のオンオフ用のスイッチをカバーに設けたり、体毛処理部及び処理剤吐出部を覆う保護用のキャップをカバーと干渉しない形状に形成しておくのも好ましい。
【００１０】
【発明の実施の形態】
以下本発明を実施の形態の一例に基づいて詳述すると、図示例の体毛処理装置は、体毛（髭）の切断を行う電気かみそりであって、体毛の切断処理を行う体毛処理部６を具備する本体１と、この本体１の外面に着脱もしくは開閉自在に配されているカバー２と、体毛処理用の処理剤が充填されている処理剤容器３と、該処理剤容器３を加圧して処理剤を本体１の体毛処理部６の近傍に位置させた吐出部５から吐出させる加圧手段４とで構成されている。
【００１１】
まず本体１から説明すると、この本体１は、筒状のハウジング１０内に駆動用モータ１１と電源としての電池１２とをシャーシ１８を介して収納したもので、その上端に位置する体毛処理部６は、ネット状の外刃と往復駆動される内刃とからなるネット刃６１を２組備えるとともに、スリット状の外刃と往復駆動される内刃とからなるスリット刃６２を１組備えたものとなっており、これらにおける各内刃は、モータ１１の回転を往復動に変換する駆動子１４，１４とスリット刃用駆動子１５とに連結されている。図中１９はモータ１１のオンオフ用のスイッチである。
【００１２】
上記本体１の一面にはカバー２が着脱自在に配されているとともに、本体１とカバー２との間の空間の上部に吐出部５が配設され、下部に加圧手段４と処理剤容器３とが配設されている。
【００１３】
ここにおける処理剤容器３は、柔軟性を有する縦長の袋として形成されたもので、その上端には接続口３０を備えている。
【００１４】
また、本例における加圧手段４は、カバー２の内面との間で処理剤容器３を挟持することになる押さえ板４０と、上下一対の圧縮コイル型のばね４１，４１と、ばねを利用した一対のアクチュエータ４２，４２とからなるもので、本体１の外面と押さえ板４０との間に配されたこれらばね４１，４１及びアクチュエータ４２，４２による付勢で押さえ板４０はカバー２の内面側に向けてばね付勢されており、このためにカバー２と押さえ板４０との間に処理剤容器３を配した時、処理剤容器３は常に加圧された状態となる。
【００１５】
なお、上記アクチュエータ４２は、図６及び図１２に示すように、ばね４２０と、リンク４２１，４２２とを備えて、リンク４２１，４２２同士を連結する連結軸４２３を左右一対のアクチュエータ４２，４２で共有しているもので、ばね４２０によるリンク４２１の一端の付勢によって連結軸４２３が押さえ板４０側に突出するものとなっている。
【００１６】
吐出部５は図７〜図９に示すように、ベース５７と、このベース５７の側面の弧状溝５７２にスライド係合するリブ５０１を備えているヘッド部５０と、ベース５７とヘッド部５０との間に配されてヘッド部５０を上方に向けて付勢するばね５５，５５と、ヘッド部５０内に上下動自在に配されている可動体５２と、ヘッド部５０の下部に固定されている受け部材５４と、受け部材５４の接続口５４０と上記ベース５７との間をつないでいる可撓性を有するチューブ５６と、ヘッド部５０の上端面に設けた複数の吐出口５００に夫々配したボール５１とからなるもので、吐出口５００の上端開口径ｄ１はボール５１の直径Ｄより小さく、且つ吐出口５００の下部開口径ｄ２はボール５１の直径Ｄより大きくされており、受け部材５４との間に配されたばね５３によって上方に向けて付勢されている上記可動体５２によって、上記の各ボール５１が回転自在に受けられている。
【００１７】
また可動体５２の下方に突出する軸部５２０は受け部材５４を貫通して接続口５４０の下方に突出しているのであるが、この軸部５２０の下端部には逆止弁５２１として機能することになるＯリングが装着されている。図中５４１は受け部材５４の外周とヘッド部５０の内周との間のシール用のＯリング、５６０は屈曲自在なゴム体で形成されて上記チューブ５６の中に配されることでチューブ５６内の流路断面積を小さくしているチューブ芯、５６１はベース５７内に配されてベース５７における下部の接続口５７０からチューブ５６に至る内部流路の断面積を絞って処理剤の流量を一定にする中空パイプ、５７１は処理剤容器３の接続口３０が着脱自在に接続される接続口５７０の外周に装着されて、接続口３０との間のシールを行うＯリングである。
【００１８】
この吐出部５においては、ベース５７に対してヘッド部５０がばね５５によって上方へ付勢されており、さらにヘッド部５０に対して可動体５２及びボール５１が上方へ付勢されており、この状態では上記逆止弁５２１が閉じているとともにボール５１が吐出口５００を閉じているが、ヘッド部５０の上端を肌に押し付ければ、図１０に示すようにボール５１及び可動体５２がばね５３に抗して沈んで吐出口５００を開くとともに逆止弁５２１を開くものであり、このために上記加圧手段４で加圧されている処理剤容器３内の処理剤は、接続口３０からベース５７内とチューブ５６内を通り、開いている逆止弁５２１並びにヘッド部５０内面と可動体５１の溝が形成されている外面との間の空間を通じて吐出口５００から外部に吐出される。さらに強くヘッド部５０の上端を肌に押し当てれば、ヘッド部５０がばね５５に抗して沈み込むフロート動作がなされる。
【００１９】
加圧手段４で処理剤容器３を常時加圧していることから、処理剤は常に押し出されて吐出部５のヘッド部５０に向かうものの、ヘッド部５０の上端面を肌に押し当てないことには処理剤の吐出がなされないものである。また、上向きだけでなく下向きや横向きに使用されても処理剤の吐出量は変化せず、処理剤を均一に肌に塗布することができるものとなっている。なお、図２，図３及び図８に示した調節ねじ２９は処理剤の吐出量の調整用のもので、その先端は吐出部５のベース５７の内部流路内に突出している。
【００２０】
図１２は処理剤容器３内の処理剤が減ってきた時点での状態を示しており、さらに図１３〜図１５は処理剤がすべて吐出された時点での状態を示している。このように処理剤が無くなった時には、図１４に示すように、押さえ板４０が本体１に装着した検知スイッチ４９を押して接点を切り替えるために、本体１内の制御駆動回路を実装した基板１３上に搭載した発光ダイオード１３０が点灯するとともにこの点灯がカバー２における透光部を通じて視認することができるために、使用者は処理剤容器３の交換時期にあることを知ることができる。
なお、押さえ板４０は図１１に示すように、処理剤容器３の幅よりも大きく且つ本体１に対する位置決めのための位置決め係止部１０５，１０６も処理剤容器３の外側にくるようにしている。処理剤容器３内の処理剤の残量を少なくすることができるからである。同様の理由で押さえ板４０の処理剤容器３に接する面は、カバー２の内面と同じ形状としてある。また、押さえ板４０の上端と吐出部５の接続口５７０に接続される処理剤容器３の剛体からなる接続口３０との間の部分は、押さえ板４０で絞ることができない部分であるが、この部分に関しては、図１３に示すように、本体１及びカバー２から突起部としてのリブ１７を突出させて本体とカバーとの間の間隔を狭めておくことで、ここに位置する処理剤容器３の上記部分の断面積を小さくしている。
【００２１】
さらには、処理剤容器３を加圧する上下一対のばね４１，４１については、下方側のばね４１の方を強くしておくとよい。処理剤容器３の下端側から絞るようにして処理剤を押し出すことができるからである。
【００２２】
処理剤容器３の交換は、カバー２における着脱釦２０をばね付勢に抗して押して本体１との係合を解除することでカバー２を取り外し、古い処理剤容器３を取り外した後、新しい処理剤容器３の接続口３０を吐出部５の接続口５７０に接続し、カバー２を再度装着することで行う。処理剤容器３から吐出口５００に至る流路の全容積及び流路断面積は小さくされているために、吐出部５の内部への無駄な処理剤の滞留量は少なく、このために初めて処理剤容器３を装填して使用する時にも処理剤の吐出はすぐになされる。
【００２３】
加圧手段４はカバー２側に設けてもよい。つまり、図１６及び図１７に示すように、カバー２の内面にばね４１や押さえ板４０を取り付けて、処理剤容器３を本体１の外面に向けて押圧するようにしておくのである。この場合においても、カバー２を外せば（開けば）、加圧手段４もカバー２と同時に処理剤容器３から離れるために、新しい処理剤容器３は本体１の外面に添うように装着すればよく、処理剤容器３の交換が容易である。もっとも、加圧手段４は本体１側にあるほうが好ましい。外したカバー２を落下させた際にも加圧手段４が破損することがないことや、モータ１１の駆動時の振動が加圧手段４に伝達されて該振動が加圧手段４の摩擦抵抗を軽減し、処理剤吐出をスムーズにするからである。
【００２４】
図１８は本体１外面に加圧手段４を設けるともに、カバー２にスイッチハンドル４６を装着したものを示している。このスイッチハンドル４６は、そのスライド操作に伴い、カバー２内面に沿わせて配設した接点駆動部４７が接点の入り切りを行う。
【００２５】
図１９は処理剤容器３の他例を示している。ここでの処理剤容器３は、一部が加圧手段４で押しつぶされる構造を持つ非柔軟材質で形成している。押さえ板４０が容器３の外殻を構成するものであってもよい。
【００２６】
図２０及び図２１は、本体１の体毛処理部６の保護用のキャップ８が吐出部５のヘッド部５０上端の保護も行うようにしたものを示している。このキャップ８は、カバー２の着脱の際にカバー２と干渉することない形状としておくことで、キャップ８を装着して体毛処理部６及びヘッド部５０上端を保護したまま、処理剤容器３の交換を行うことができる。
【００２７】
以上の例では本体１が髭剃り用の体毛処理部６を備えたものを示したが、図２２に示すように、モータ７５によって回転駆動される脱毛ブロック７０に開閉駆動される脱毛爪７１を設けた脱毛用の体毛処理部７を備えたものであってもよい。
【００２８】
【発明の効果】
以上のように本発明においては、体毛の切断処理または体毛の脱毛処理を行う体毛処理部を具備する体毛処理装置本体と、この体毛処理装置本体の外面に着脱もしくは開閉自在に配されているカバーと、体毛処理用の処理剤が充填されている処理剤容器と、該処理剤容器を加圧して処理剤を体毛処理装置本体の体毛処理部の近傍において吐出させる加圧手段とを備えており、加圧手段は体毛処理装置側に設けられてカバーと加圧手段との間に処理剤容器が位置しているために、処理剤の吐出にポンプ等の高コスト部材を必要とせず、しかもカバーを外せばそこに処理剤容器の装着部が現れることから、処理剤容器の交換も容易で使い勝手がよいものである。
【００２９】
加圧手段をカバーの内面に設けて体毛処理装置本体の外面と加圧手段との間に処理剤容器を位置させたものであってもよく、この場合においても処理剤の吐出にポンプ等の高コスト部材を必要とせず、しかもカバーを外せばそこに処理剤容器の装着部が現れることから、処理剤容器の交換も容易で使い勝手がよいものである。
【００３０】
そして上記のいずれの場合においても、処理剤容器を押圧する押さえ板が処理剤容器よりも幅広で且つ位置決めが処理剤容器の外側でなされているために、処理剤容器から押し出されずに残ってしまう処理剤の残量を少なくすることができ、処理剤を効果的に供給することができる。また、処理剤容器における加圧手段が接しない部分に接するとともに本体とカバーとの間の間隔を狭めている突起部を本体またはカバーが備えているために、処理剤容器内の処理剤を効果的に絞り出すことができて、処理剤容器内の処理剤の残量を少なくすることができる。
【００３１】
また、押さえ板の処理剤容器の一面に接する面は、処理剤容器の他面が接する面と同一形状としておくことで、処理剤容器から押し出されずに残ってしまう処理剤の残量を少なくすることができ、処理剤を効果的に供給することができる。
【００３２】
押さえ板による処理剤容器の押圧力が処理剤容器の処理剤吐出部から遠い側が強くなっていると、処理剤容器内の処理剤を効果的に絞り出すことができて、処理剤の残量を少なくすることができる。
【００３４】
また、体毛処理装置本体のオンオフ用のスイッチをカバーに設けておくと、処理剤の吐出機能を備えたものであるにもかかわらず、操作性の良い位置にスイッチを配置することができる。
【００３５】
体毛処理部及び処理剤吐出部を覆う保護用のキャップをカバーと干渉しない形状に形成しておくと、キャップを外すことなく処理剤容器の交換を行うことができる。
【図面の簡単な説明】
【図１】本発明の実施の形態の一例の縦断面図である。
【図２】同上の正面図である。
【図３】同上の一部を破断した側面図である。
【図４】同上の水平断面図である。
【図５】同上の本体部の分解斜視図である。
【図６】同上の処理剤吐出関係部材の分解斜視図である。
【図７】同上の吐出部の分解斜視図である。
【図８】同上の吐出部の縦断面図である。
【図９】同上の吐出部の横断面図である。
【図１０】同上の吐出部の処理剤吐出時の横断面図である。
【図１１】同上のカバーを外した状態の正面図である。
【図１２】同上の縦断面図である。
【図１３】同上の縦断面図である。
【図１４】同上の縦断面図である。
【図１５】同上の水平断面図である。
【図１６】他例の水平断面図である。
【図１７】同上の水平断面図である。
【図１８】更に他例の水平断面図である。
【図１９】別の例の縦断面図である。
【図２０】ヘッドカバー装着時の正面図である。
【図２１】同上の一部を破断した側面図である。
【図２２】他の実施の形態の一例の縦断面図である。
【符号の説明】
１  本体部
２  カバー
３  処理剤容器
４  加圧手段
５  吐出部
６  体毛処理部
【図１】
0003747851.tif 000002
【図２】
0003747851.tif 000003
【図３】
0003747851.tif 000004
【図４】
0003747851.tif 000005
【図５】
0003747851.tif 000006
【図６】
0003747851.tif 000007
【図７】
0003747851.tif 000008
【図８】
0003747851.tif 000009
【図９】
0003747851.tif 000010
【図１０】
0003747851.tif 000011
【図１１】
0003747851.tif 000012
【図１２】
0003747851.tif 000013
【図１３】
0003747851.tif 000014
【図１４】
0003747851.tif 000015
【図１５】
0003747851.tif 000016
【図１６】
0003747851.tif 000017
【図１７】
0003747851.tif 000018
【図１８】
0003747851.tif 000019
【図１９】
0003747851.tif 000020
【図２０】
0003747851.tif 000021
【図２１】
0003747851.tif 000022
【図２２】
0003747851.tif 000023